【手続補正書】
【提出日】平成25年6月3日(2013.6.3)
【手続補正１】
【補正対象書類名】特許請求の範囲
【補正対象項目名】全文
【補正方法】変更
【補正の内容】
【特許請求の範囲】
【請求項１】
表示データに基づいてビットマップディスプレイを表示制御する表示制御ドライバであって、
入力された表示データの各画素の階調値をその階調幅よりも狭い階調幅の階調値に変換して当該表示データのコントラストを圧縮するコントラスト圧縮部と、
前記コントラスト圧縮部から出力された表示データの視野角特性を変更する操作を行う視野角特性変更部とを有し、
前記視野角特性変更部は、隣接する複数画素の所定配置パターン毎に正視時の平均階調が操作対象表示データに応ずる値になるように当該所定配置パターンの画素の階調値を大きな値と小さな値に偏りをもって変更する階調偏倚処理を、前記所定配置パターンの配列に対して離散的に行う、表示制御ドライバ。
【請求項２】
前記視野角特性変更部は、前記階調偏倚処理において大きな値に変更される階調値の下限と小さな値に変更される階調値の上限とを決定するために用いられるパラメータセットが書き換え可能にロードされるパラメータレジスタを有する、請求項１記載の表示制御ドライバ。
【請求項３】
前記コントラスト圧縮部による前記コントラストの圧縮に応じて前記ビットマップディスプレイに対するバックライトの輝度を上昇させる制御を行うバックライト輝度制御回路を更に有する、請求項１記載の表示制御ドライバ。
【請求項４】
前記視野角特性変更部は、視野角特性を変更した表示データを出力するか、又は、入力された表示データに対して視野角特性を変更せずに出力するかを指示するためのモードレジスタを有し、前記モードレジスタは書き換え可能なプログラマブルレジスタである、請求項１記載の表示制御ドライバ。
【請求項５】
前記視野角特性変更部は、前記ビットマップ上における前記複数画素の所定配置パターンを単位とする当該パターンのマッピングを単位ビットの配列によって定義するためのパターンマッピングデータを格納するパターンレジスタを有し、前記パターンレジスタに設定されたパターンマッピングデータの単位ビットが第１の値のとき当該単位ビットのマッピング位置に対応する前記所定配置パターンの画素データに対して前記階調偏倚処理を行い、前記パターンマッピングデータの単位ビットが第２の値のとき当該単位ビットのマッピング位置に対応する前記所定配置パターンの画素データに対して前記階調偏倚処理を休止する、請求項１記載の表示制御ドライバ。
【請求項６】
前記パターンレジスタは、前記パターンマッピングデータが定義するパターンの繰り返し数を更に格納し、
前記視野角特性変更部は、前記繰り返し数で規定される繰り返しパターンに基づいて前記階調偏倚処理を行う、請求項５記載の表示制御ドライバ。
【請求項７】
前記パターンレジスタは、前記所定配置パターンのサイズに対する倍数を更に格納し、
前記視野角特性変更部は、前記倍数で規定される前記所定配置パターンの倍数倍のパターンを、前記パターンマッピングデータの単位ビット毎に対応する所定配置パターンとして、前記階調偏倚処理を行う、請求項６記載の表示制御ドライバ。
【請求項８】
前記階調偏倚処理は、操作対象表示データの画素データが高輝度画素位置のデータであるときは最大階調値を上限としてそのデータの階調値を実数倍に拡大する演算を行って高輝度側変換データを生成し、操作対象表示データの画素データが低輝度画素位置のデータであるときはそのデータの階調値が最大階調値の前記実数分の一までであれば最低階調値を低輝度側変換データとし、また、前記データの階調値が前記最大階調値の前記実数分の一の値を超えていれば当該データの階調値の前記実数倍の値から前記最大階調値を減じた値を近似する演算を行って低輝度側変換データを生成する処理である、請求項１記載の表示制御ドライバ。
【請求項９】
前記視野角特性変更部は、前記実数倍して最大階調値になる階調値が設定される第１パラメータレジスタを有し、前記第１パラメータレジスタの設定値及び最大階調値に基づいて前記実数を決定する、請求項８記載の表示制御ドライバ。
【請求項１０】
前記第１パラメータレジスタは書き換え可能なプログラマブルレジスタである、請求項９記載の表示制御ドライバ。
【請求項１１】
前記視野角特性変更部は、操作対象表示データの階調値に対する操作後の低輝度側変換データの階調値の非線形関係を最小階調値から最大階調値の範囲で線形補間により規定するための階調値が設定される複数の第２パラメータレジスタを有し、前記第２パラメータレジスタの設定値に基づいて線形補間区間毎に演算したパラメータを用いて低輝度側変換データを生成する、請求項８記載の表示制御ドライバ。
【請求項１２】
前記第２パラメータレジスタは書き換え可能なプログラマブルレジスタである、請求項１１記載の表示制御ドライバ。
【請求項１３】
１個の半導体基板に形成されて成る請求項１記載の表示制御ドライバ。
【請求項１４】
表示データに基づいてビットマップディスプレイを表示制御する表示制御ドライバであって、
入力された表示データの各画素の階調値をその最低幅よりも狭い階調幅の階調値に変換して当該表示データのコントラストを圧縮するコントラスト圧縮部と、
前記コントラスト圧縮部から出力された表示データの視野角特性を変更する操作を行う視野角特性変更部と、
前記視野角特性変更部による表示データの操作に用いる特性パラメータを複数セット有し、温度データに基づいて前記複数セットの中から一つの特性パラメータのセットを選択して前記視野角特性変更部に与える温度補償部とを有し、
前記視野角特性変更部は、隣接する複数画素の所定配置パターン毎に正視時の平均階調が操作対象表示データに応ずる値になるように当該所定配置パターンの画素の階調値を大きな値と小さな値に偏りをもって変更する階調偏倚処理を、前記所定配置パターンの配列に対して離散的に行い、前記階調偏倚処理において大きな値に変更される階調値の下限と小さな値に変更される階調値の上限とを決定するために前記温度補償部から与えられたパラメータセットを用いる、表示制御ドライバ。
【請求項１５】
前記温度補償部は表示制御ドライバの外部で測定された温度データを入力する、請求項１４記載の表示制御ドライバ。
【請求項１６】
前記温度補償部は、温度測定素子と、前記温度測定素子で測定された測定温度をビットマップディスプレイの対応温度に変換する温度変換回路とを有し、温度変換回路で変換された対応温度の温度データを用いて前記特性パラメータのセットを選択する、請求項１４記載の表示制御ドライバ。
【請求項１７】
前記階調偏倚処理は、与えられた特性パラメータを参照することによって、操作対象表示データの画素データが高輝度画素位置のデータであるときは最大階調値を上限としてそのデータの階調値を実数倍に拡大する演算を行って高輝度側変換データを生成し、操作対象表示データの画素データが低輝度画素位置のデータであるときはそのデータの階調値が最大階調値の前記実数分の一までであれば最低階調値を低輝度側変換データとし、また、前記データの階調値が前記最大階調値の前記実数分の一の値を超えていれば当該データの階調値の前記実数倍の値から前記最大階調値を減じた値を近似する演算を行って低輝度側変換データを生成する処理である、請求項１４記載の表示制御ドライバ。
【請求項１８】
前記特性パラメータは、前記実数倍して最大階調値になる階調値と、操作対象表示データの階調値に対する操作後の低輝度側変換データの階調値の非線形関係を最小階調値から最大階調値の範囲で線形補間により規定するための階調値とを特定するデータである、請求項１７記載の表示制御ドライバ。
【請求項１９】
１個の半導体基板に形成されて成る請求項１４記載の表示制御ドライバ。
【請求項２０】
ビットマップディスプレイと、表示データに基づいて前記ビットマップディスプレイを表示制御する表示制御ドライバと、前記表示制御ドライバを制御するプロセッサとを有するデータ処理システムであって、
前記表示制御ドライバは、入力された表示データの各画素の階調値をその階調幅よりも狭い階調幅の階調値に変換して当該表示データのコントラストを圧縮するコントラスト圧縮部と、
前記コントラスト圧縮部から出力された表示データの視野角特性を変更する操作を行う視野角特性変更部とを有し、
前記視野角特性変更部は、隣接する複数画素の所定配置パターン毎に正視時の平均階調が操作対象表示データに応ずる値になるように当該所定配置パターンの画素の階調値を大きな値と小さな値に偏りをもって変更する階調偏倚処理を、前記所定配置パターンの配列に対して離散的に行う、データ処理システム。
【請求項２１】
前記視野角特性変更部は、前記階調偏倚処理において大きな値に変更される階調値の下限と小さな値に変更される階調値の上限とを決定するために用いられるパラメータセットが書き換え可能にロードされるパラメータレジスタを有する、請求項２０記載のデータ処理システム。
【請求項２２】
ビットマップディスプレイと、表示データに基づいて前記ビットマップディスプレイを表示制御する表示制御ドライバと、前記表示制御ドライバを制御するプロセッサとを有するデータ処理システムであって、
前記表示制御ドライバは、入力された表示データの各画素の階調値をその最低幅よりも狭い階調幅の階調値に変換して当該表示データのコントラストを圧縮するコントラスト圧縮部と、
前記コントラスト圧縮部から出力された表示データの視野角特性を変更する操作を行う視野角特性変更部と、
前記視野角特性変更部による表示データの操作に用いる特性パラメータを複数セット有し、温度データに基づいて前記複数セットの中から一つの特性パラメータのセットを選択して前記視野角特性変更部に与える温度補償部とを有し、
前記視野角特性変更部は、隣接する複数画素の所定配置パターン毎に正視時の平均階調が操作対象表示データに応ずる値になるように当該所定は一パターンの画素の階調値を大きな値と小さな値に偏りを持って変更する階調偏倚処理を、前記所定配置パターンの配列に対して離散的に行い、前記階調偏倚処理において大きな値に変更される階調値の下限と小さな値に変更される階調値の上限とを決定するために前記温度補償部から与えられたパラメータセットを用いる、データ処理システム。
【手続補正２】
【補正対象書類名】明細書
【補正対象項目名】００４５
【補正方法】変更
【補正の内容】
【００４５】
〔１５〕＜外部から温度データを入力＞
項１４の表示制御ドライバにおいて、前記温度補償部は表示制御ドライバの外部で測定された温度データ（１６６）を入力する。
【手続補正３】
【補正対象書類名】明細書
【補正対象項目名】００４７
【補正方法】変更
【補正の内容】
【００４７】
〔１６〕＜内部で計測した温度を＞
項１４の前記温度補償部は、温度測定素子（１９０）と、前記温度測定素子で測定された測定温度をビットマップディスプレイの対応温度に変換する温度変換回路（１９２）とを有し、温度変換回路で変換された対応温度の温度データを用いて前記特性パラメータのセットを選択する。